(57)【要約】【課題】コンパクトで、且つ、キャビネット内部の温度が偏って上昇しないようにできる低コストな給水装置を提供する。【解決手段】一対のポンプ４及び圧力タンク６を収容するキャビネット２を備える。両ポンプ４は、駆動モータ４ｂの回転軸心が上下に延びる姿勢で水平方向に並設される。圧力タンク６は、その中心軸が上下に延びる姿勢において両ポンプ４の間の両ポンプ４が並ぶ直線上からずれた位置で、且つ、両ポンプ４の各々に接近するように配置される。【選択図】図３
2018040141.tif 000002
【特許請求の範囲】
【請求項１】
吸入した水を加圧するポンプ本体及び該ポンプ本体を駆動させる駆動モータを有する一対のポンプと、
該各ポンプで加圧された水を貯溜及び保圧可能な圧力タンクと、
上記両ポンプ及び上記圧力タンクを収容する収容空間を内部に有するキャビネットとを備え、
上記両ポンプは、上記駆動モータの回転軸心が上下に延びる姿勢で水平方向に並設され、
上記圧力タンクは、その中心軸が上下に延びる姿勢において上記両ポンプの間の当該両ポンプが並ぶ直線上からずれた位置で、且つ、上記両ポンプの各々に接近するように配置されていることを特徴とする給水装置。
【請求項２】
請求項１に記載の給水装置において、
上記収容空間には、上記各ポンプ本体に対応するように一対設けられ、吸入口から吸入した水を上記ポンプ本体に案内する吸入管と、一端が上記各ポンプ本体にそれぞれ接続される一方、他端同士が互いに接続され、上記各ポンプ本体から流れ出た加圧状態の水が互いに接続された他端部分で合流するように案内する一対の第１吐出管と、該両第１吐出管の他端部分で合流した加圧状態の水を吐出口まで案内して当該吐出口から吐出させる第２吐出管とが設けられ、
上記各第１吐出管は、上記両ポンプが並ぶ直線上から上記圧力タンクのずれた側における上記各ポンプに対応する領域にそれぞれ位置していることを特徴とする給水装置。
【請求項３】
請求項２に記載の給水装置において、
上記吸入管の吸入口及び上記第２吐出管の吐出口は、上記キャビネットの底面から外側に臨むとともに下方に向かって開口していることを特徴とする給水装置。
【請求項４】
請求項２又は３に記載の給水装置において、
上記各第１吐出管の中途部には、当該各第１吐出管を開放状態と閉塞状態とに切替可能な仕切弁が設けられていることを特徴とする給水装置。
【請求項５】
請求項２から４のいずれか１つに記載の給水装置において、
上記各第１吐出管は、上記各ポンプ本体から上記第２吐出管に向かって直線状に延びていることを特徴とする給水装置。
【請求項６】
請求項２から５のいずれか１つに記載の給水装置において、
上記キャビネットの正面側には、上記収容空間に連通する開口部と、該開口部を開閉可能な扉部とが形成され、
上記圧力タンクは、上記開口部側に配置されていることを特徴とする給水装置。
【請求項７】
請求項２から６のいずれか１つに記載の給水装置において、
上記両第１吐出管の互いに接続された他端部分内方には、当該両第１吐出管の互いに接続された他端部分内方の一部を一方の第１吐出管側と他方の第１吐出管側とに仕切るとともに上記第２吐出管の管中心に向かって延びる整流板が配設されていることを特徴とする給水装置。
【請求項８】
請求項１から７のいずれか１つに記載の給水装置において、
上記収容空間の上部には、強制空冷式のインバータを中途部に収容する制御ボックスが配置され、
上記各駆動モータは、下方に空気流を発生させる外扇を有する外扇型空冷モータであり、
上記制御ボックス下面の上記インバータに対応する位置には、上方に空気流を発生して上記インバータを冷却する冷却ファンが取り付けられ、
該冷却ファンは、上記圧力タンクの上方に位置していることを特徴とする給水装置。
【発明の詳細な説明】
【技術分野】
【０００１】
本発明は、水道管や貯水槽の水を加圧して集合住宅やビル等に供給する給水装置に関する。
【背景技術】
【０００２】
従来より、例えば、特許文献１に開示されている給水装置は、内部に収容空間を有する直方体形状のキャビネットを備え、上記収容空間には、一対のポンプと圧力タンクとが収容されている。上記各ポンプは、回転軸心が上下に延びるポンプ本体と、該ポンプ本体の上方に設けられ、当該ポンプ本体を回転させる駆動モータとを備えており、上記収容空間の一方側半分の位置において水平方向に並設されている。一方、上記圧力タンクは、上記収容空間の他方側半分の位置に設けられ、中心軸が上下に延びる姿勢となっている。上記両ポンプの下方には、水平方向に延びる吸入管が設けられ、該吸入管の下流側が上記ポンプ本体の上流側に接続されている。また、上記吸入管におけるキャビネットの開口部側には、吐出管が並設され、該吐出管の上流側が上記各ポンプ本体の下流側に接続される一方、上記吐出管の下流側が上記圧力タンク下部の給排水部に接続されている。そして、両ポンプにて加圧された水は、吐出管を流れて当該吐出管の下流端から吐出するようになっていて、ポンプ起動時等の吐出管内の流量が急激に変動する際には、上記圧力タンクが吐出管内の圧力変動を抑制して吐出管内の圧力を保持するようになっている。
【先行技術文献】
【特許文献】
【０００３】
【特許文献１】特開２００３−２１０５２号公報
【発明の概要】
【発明が解決しようとする課題】
【０００４】
しかし、特許文献１の給水装置では、２つのポンプが収容空間の一方側半分の位置に偏って配置されているので、両駆動モータの駆動時における発熱によって収容空間の温度がポンプ側だけ偏って上昇してしまう。したがって、上記収容空間における両ポンプ側に設けられた各種機器の寿命が短くなってしまうおそれがある。
【０００５】
これを回避するために、各種機器を冷却する冷却機器を追加することも考えられるが、コストが嵩むとともに給水装置全体が大型化してしまうおそれがある。
【０００６】
また、近年では、給水装置の設置面積が狭くなるように給水装置全体の更なるコンパクト化が求められている。
【０００７】
本発明は、斯かる点に鑑みてなされたものであり、その目的とするところは、コンパクトで、且つ、キャビネット内部の温度が偏って上昇しないようにできる低コストな給水装置を提供することにある。
【課題を解決するための手段】
【０００８】
上記の目的を達成するために、本発明は、キャビネットの収容空間における両ポンプおよび圧力タンクの配置について工夫を凝らしたことを特徴とする。
【０００９】
すなわち、第１の発明では、吸入した水を加圧するポンプ本体及び該ポンプ本体を駆動させる駆動モータを有する一対のポンプと、該各ポンプで加圧された水を貯溜及び保圧可能な圧力タンクと、上記両ポンプ及び上記圧力タンクを収容する収容空間を内部に有するキャビネットとを備え、上記両ポンプは、上記駆動モータの回転軸心が上下に延びる姿勢で水平方向に並設され、上記圧力タンクは、その中心軸が上下に延びる姿勢において上記両ポンプの間の当該両ポンプが並ぶ直線上からずれた位置で、且つ、上記両ポンプの各々に接近するように配置されていることを特徴とする。
【００１０】
第２の発明では、第１の発明において、上記収容空間には、上記各ポンプ本体に対応するように一対設けられ、吸入口から吸入した水を上記ポンプ本体に案内する吸入管と、一端が上記各ポンプ本体にそれぞれ接続される一方、他端同士が互いに接続され、上記各ポンプ本体で加圧された水が互いに接続された他端部分で合流するように案内する一対の第１吐出管と、該両第１吐出管の互いに接続された他端部分で合流した加圧状態の水を吐出口まで案内して当該吐出口から吐出させる第２吐出管とが設けられ、上記各第１吐出管は、上記両ポンプが並ぶ直線上から上記圧力タンクのずれた側における上記各ポンプに対応する領域にそれぞれ位置していることを特徴とする。
【００１１】
第３の発明では、第２の発明において、上記吸入管の吸入口及び上記第２吐出管の吐出口は、上記キャビネットの底面から外側に臨むとともに下方に向かって開口していることを特徴とする。
【００１２】
第４の発明では、第２又は第３の発明において、上記各第１吐出管の中途部には、当該各第１吐出管を開放状態と閉塞状態とに切替可能な仕切弁が設けられていることを特徴とする。
【００１３】
第５の発明では、第２から第４のいずれか１つの発明において、上記各第１吐出管は、上記各ポンプ本体から上記第２吐出管に向かって直線状に延びていることを特徴とする。
【００１４】
第６の発明では、第２から第５のいずれか１つの発明において、上記キャビネットの正面側には、上記収容空間に連通する開口部と、該開口部を開閉可能な扉部とが形成され、上記圧力タンクは、上記開口部側に配置されていることを特徴とする。
【００１５】
第７の発明では、第２から第６のいずれか１つの発明において、上記両第１吐出管の互いに接続された他端部分内方には、当該両第１吐出管の互いに接続された他端部分内方の一部を一方の第１吐出管側と他方の第１吐出管側とに仕切るとともに上記第２吐出管の管中心に向かって延びる整流板が配設されていることを特徴とする。
【００１６】
第８の発明では、第１から第７のいずれか１つの発明において、上記収容空間の上部には、強制空冷式のインバータを中途部に収容する制御ボックスが配置され、上記各駆動モータは、下方に空気流を発生させる外扇を有する外扇型空冷モータであり、上記制御ボックス下面の上記インバータに対応する位置には、上方に空気流を発生して上記インバータを冷却する冷却ファンが取り付けられ、該冷却ファンは、上記圧力タンクの上方に位置していることを特徴とする。
【発明の効果】
【００１７】
第１の発明では、圧力タンクが両ポンプの間に位置しているので、キャビネット内部の温度が偏って上昇しなくなる。したがって、収容空間における両ポンプ側に設けられた各種機器の寿命を長くすることができる。また、一対のポンプと圧力タンクとが平面視で三角形の頂点をなす位置関係となるので、両ポンプの間、及び、ポンプと圧力タンクとの間を同時に狭くすることができる。したがって、キャビネット内部に両ポンプ及び圧力タンクを収容する空間を確保しながら、キャビネットの横幅及び奥行きを短くすることができ、装置全体をコンパクトにすることができる。さらに、各ポンプが圧力タンクに接近した位置になるので、各ポンプの駆動モータが圧力タンク内に溜まる水によって冷却されるようになり、冷却機器を追加することなく両ポンプを効率良く冷却することができるとともにコストを低く抑えることができる。
【００１８】
第２の発明では、収容空間における各ポンプ及び圧力タンクが占有する領域以外の領域を有効利用することができ、キャビネットを無駄に大きくすることなく各第１吐出管を最適な位置に配置することができる。
【００１９】
第３の発明では、給水装置に水を導入する配管や給水装置の下流側の設備に水を供給する配管を本発明の給水装置に取り付ける際、給水装置の上流側又は下流側の配管の設置事情を考慮して、これらの配管を給水装置のどの方向からでも無理な姿勢にすることなく接続の向きを変えて取り付けることができるようになるので、給水装置の設置姿勢に関係無く、給水装置に対する配管の取付作業を簡単に行うことができる。
【００２０】
第４の発明では、一方の仕切弁で一方の第１吐出管を閉塞状態にすると、他方の第１吐出管に水を流すことで装置を止めることなく一方の第１吐出管周りの各機器の保守点検及び部品交換を行うことができる一方、他方の仕切弁で他方の第１吐出管を閉塞状態にすると、一方の第１吐出管に水を流すことで装置を止めることなく他方の第１吐出管周りの各機器の保守点検及び部品交換を行うことができる。このように、装置を稼働させたままの状態で各第１吐出管周りの保守点検及び部品交換を行うことができ、効率的である。
【００２１】
第５の発明では、各第１吐出管を流れる水の圧力損失が減るので、各ポンプ本体から流出する水を第２吐出管までスムーズに流すことができる。
【００２２】
第６の発明では、収容空間において両ポンプが並ぶ直線上から圧力タンクのずれた側における各ポンプに対応する領域が開口部に面するようになるので、各第１吐出管が開口部に接近した位置となる。したがって、キャビネットの扉部を開けると、圧力タンク及び各第１吐出管周りの各機器の保守点検及び部品交換を容易に行うことができるようになる。
【００２３】
第７の発明では、各第１吐出管を流れる水がそれぞれ整流板によって案内されてその流れが同方向に向くようになった状態で合流するので、各第１吐出管を流れる水が合流する地点において発生する圧力損失を低下させることができる。また、両ポンプのうちの一方のポンプだけを稼働させる場合において、一方の第１吐出管を流れる水が他方の第１吐出管の他端部分に接近すると、整流板に遮られて他方の第１吐出管側に向かわなくなるので、一方の第１吐出管を流れる水がスムーズに第２吐出管に向かって流れるようになり、両第１吐出管の接続された他端部分において流れる水の圧力損失を低下させることができる。
【００２４】
第８の発明では、各駆動モータによって発生する下方に向かう空気流とインバータを冷却する冷却ファンの上方に向かう空気流とによって収容空間を循環する２つの空気流れが収容空間の中央部分を境に対称に発生するので、キャビネット内部の温度が偏って上昇してしまうのを確実に防ぐことができる。
【図面の簡単な説明】
【００２５】
【図１】本発明の実施形態に係る給水装置の斜視図である。
【図２】本発明の実施形態に係る給水装置内部の正面図である。
【図３】図２のIII矢視図である。
【図４】本発明の実施形態に係る給水装置内部を正面側斜め上から見た斜視図である。
【図５】本発明の実施形態に係る給水装置内部を奥側斜め上から見た斜視図である。
【図６】図４のVI-VI線における断面図である。
【発明を実施するための形態】
【００２６】
以下、本発明の実施形態を図面に基づいて詳細に説明する。尚、以下の好ましい実施形態の説明は、本質的に例示に過ぎない。
【００２７】
図１及び図２は、本発明の実施形態に係る給水装置１を示す。該給水装置１は、マンション等に設置され、貯水槽に貯水された水を加圧してマンション等の各フロアに供給するためのものであり、内部に収容空間Ｓ１を有する直方体形状のキャビネット２と、複数のフレームで矩形枠状に形成され、上記キャビネット２を支持する架台３とを備えている。
【００２８】
上記キャビネット２の正面には、上記収容空間Ｓ１に連通する矩形状の開口部２ａが形成され、該開口部２ａは、矩形板状をなす扉部２ｂで開閉されるようになっている。
【００２９】
上記収容空間Ｓ１には、図２乃至図５に示すように、一対のポンプ４が水平方向に並設され、該各ポンプ４は、上記収容空間Ｓ１の奥側（開口部２ａの反対側）の各隅部に位置している。
【００３０】
上記ポンプ４は、図示しない羽根車の回転中心が上下に延びるポンプ本体４ａを備えている。
【００３１】
該ポンプ本体４ａの上方には、回転軸心が上記ポンプ本体４ａの回転中心に一致する略円柱形状の駆動モータ４ｂが配置されている。
【００３２】
該駆動モータ４ｂは、下方に空気流を発生させる外扇を有する外扇型空冷モータであり、上記ポンプ本体４ａの図示しない羽根車を回転駆動させるようになっている。
【００３３】
上記収容空間Ｓ１の下部には、上下に延びる吸入管５が上記各ポンプ本体４ａに対応するように一対設けられ、上記各吸入管５は、下端に形成された吸入口５ａから吸入する水を上記各ポンプ本体４ａにまで案内するようになっている。
【００３４】
上記吸入管５の下部は、上記キャビネット２の底面から外側に臨んでいて、上記吸入口５ａは、下方に向かって開口している。
【００３５】
上記吸入口５ａ周縁には、第１取付フランジ５ｂが設けられ、該第１取付フランジ５ｂは、貯水槽から延びる配管９ａの一端を固定できるようになっている。
【００３６】
上記収容空間Ｓ１の中央で、且つ、開口部２ａ寄りの位置には、加圧エアを充填したブラダ型のアキュムレータである圧力タンク６が設けられている。
【００３７】
該圧力タンク６は、その中心軸が上下に延びるような姿勢となっており、その下端中央には、側面視で略Ｌ字状をなす給排水部６ａの一端が接続されている（図４参照）。
【００３８】
そして、上記圧力タンク６は、図３に示すように、上記両ポンプ４の間の当該両ポンプ４が並ぶ直線上から距離Ｄ１だけ上記開口部２ａ側にずれた位置で、且つ、上記両ポンプ４の各々に接近するように配置されている。
【００３９】
上記収容空間Ｓ１において、上記各ポンプ４における上記キャビネット２の開口部２ａ側の領域には、それぞれ第１吐出管７が設けられている。
【００４０】
すなわち、上記各第１吐出管７は、上記収容空間Ｓ１において、上記両ポンプ４が並ぶ直線上から上記圧力タンク６のずれた側における上記各ポンプ４に対応する領域にそれぞれ設けられている。
【００４１】
上記各第１吐出管７は、上記各ポンプ本体４ａにおける上記キャビネット２の開口部２ａ側の領域から上記圧力タンク６の給排水部６ａにおける上記キャビネット２の開口部２ａ側の領域に向かって斜め下方に直線状に延びる形状をなしており、一端が各ポンプ本体４ａにおける上記キャビネット２の開口部２ａ側にそれぞれ接続される一方、他端同士が互いに接続されていて、上記各ポンプ本体４ａで加圧された水を互いに接続された他端部分で合流させるようになっている。
【００４２】
そして、上記各第１吐出管７の互いに接続された他端部分には、上記給排水部６ａの他端が接続されていて、上記圧力タンク６は、上記両第１吐出管７に流れる加圧状態の水を貯溜及び保圧可能となっている。
【００４３】
上記各第１吐出管７の下流側には、当該各第１吐出管７を開放状態と閉塞状態とに切替可能な仕切弁７ａが設けられている。
【００４４】
また、上記各第１吐出管７における上記仕切弁７ａの上流側には、逆止弁７ｂが内蔵されている。
【００４５】
さらに、上記各第１吐出管７における上記逆止弁７ｂの上流側には、フロースイッチ７ｃが取り付けられている。
【００４６】
上記収容空間Ｓ１における上記両第１吐出管７の接続された他端部分の下方には、上下に延びる第２吐出管８が設けられ、該第２吐出管８は、上記両第１吐出管７により合流した加圧状態の水を下端に形成された吐出口８ａまで案内して当該吐出口８ａから吐出させるようになっている。
【００４７】
上記第２吐出管８の下部は、上記キャビネット２の底面から外側に臨んでいて、上記吐出口８ａは、下方に向かって開口している。
【００４８】
上記吐出口８ａ周縁には、第２取付フランジ８ｂが設けられ、該第２取付フランジ８ｂは、マンション等の各フロアに向かって延びる配管９ｂの一端を固定できるようになっている。
【００４９】
上記両第１吐出管７の互いに接続された他端部分内方には、図６に示すように、上下に延びる整流板１２が配設され、該整流板１２の中途部は、上記給排水部６ａの他端部分に対応する位置となっている。
【００５０】
上記整流板１２は、下方に行くにつれて次第に厚みが薄くなる形状をなしており、その下側部分は上記第２吐出管８の管中心に向かって延びている。
【００５１】
そして、上記整流板１２は、その上端部分が上記両第１吐出管７の互いに接続された他端部分における内周面の上側部分から離間しており、上記両第１吐出管７の互いに接続された他端部分の内方の一部を一方の第１吐出管７側と他方の第１吐出管７側との仕切るようになっている。
【００５２】
上記収容空間Ｓ１の最上部には、図２に示すように、水平方向に延びる略直方体形状の制御ボックス１０が配置され、該制御ボックス１０の中途部内方には、強制空冷式のインバータ１０ａが収容されている。
【００５３】
上記制御ボックス１０下面の上記インバータ１０ａに対応する位置で、且つ、上記圧力タンク６の上方の位置には、冷却ファン１１が一対取り付けられ、該冷却ファン１１は、上方に空気流を発生させて上記インバータ１０ａを冷却するようになっている。
【００５４】
そして、上記給水装置１を稼働させると、上記両駆動モータ４ｂの回転駆動により上記両ポンプ本体４ａが両吸入管５を介して水を吸入するとともに加圧状態の水を各第１吐出管７に流出し、且つ、当該各第１吐出管７によって案内される加圧状態の水は、第２吐出管８を流れて吐出口８ａから下流側に吐出するようになっていて、ポンプ４の起動時等の第１吐出管７内及び第２吐出管８内の流量が急激に変動する際には、上記圧力タンク６が第１吐出管７内及び第２吐出管８内の圧力変動を抑制して第１吐出管７内及び第２吐出管８内の圧力を保持するようになっている。
【００５５】
以上より、本発明の実施形態によると、圧力タンク６が両ポンプ４の間に位置しているので、キャビネット２内部の温度が偏って上昇しなくなる。したがって、収容空間Ｓ１における両ポンプ４側に設けられた各種機器の寿命を長くすることができる。また、一対のポンプ４と圧力タンク６とが平面視で三角形の頂点をなす位置関係となるので、両ポンプ４の間、及び、ポンプ４と圧力タンクと６の間を同時に狭くすることができる。したがって、キャビネット２内部に両ポンプ４及び圧力タンク６を収容する空間を確保しながら、キャビネット２の横幅及び奥行きを短くすることができ、給水装置１全体をコンパクトにすることができる。さらに、各ポンプ４が圧力タンク６に接近した位置になるので、各ポンプ４の駆動モータ４ｂが圧力タンク６内に溜まる水によって冷却されるようになり、冷却機器を追加することなく両ポンプ４を効率良く冷却することができるとともにコストを低く抑えることができる。
【００５６】
また、各第１吐出管７が上記両ポンプ４が並ぶ直線上から上記圧力タンク６のずれた側における上記各ポンプ４に対応する領域にそれぞれ位置しているので、キャビネット２の収容空間Ｓ１における各ポンプ４及び圧力タンク６が占有する領域以外の領域を有効利用することができ、キャビネット２を無駄に大きくすることなく各第１吐出管７を最適な位置に配置することができる。
【００５７】
また、吸入管５の吸入口５ａ及び第２吐出管８の吐出口８ａがキャビネットの底面から外側に臨むとともに下方に向かって開口しているので、給水装置１に水を導入する配管９ａや給水装置１の下流側の設備に水を供給する配管９ｂを給水装置１に取り付ける際、給水装置１の上流側又は下流側の配管９ａ，９ｂの設置事情を考慮して、これらの配管９ａ及び配管９ｂを給水装置１のどの方向からでも無理な姿勢にすることなく接続の向きを変えて取り付けることができるようになる。したがって、給水装置１の設置姿勢に関係無く、給水装置１に対する配管９ａ及び配管９ｂの取付作業を簡単に行うことができる。
【００５８】
また、各第１吐出管の中途部に仕切弁７ａが設けられているので、一方の仕切弁７ａで一方の第１吐出管７を閉塞状態にすると、他方の第１吐出管７に水を流すことで給水装置１を止めることなく一方の第１吐出管７周りの各機器の保守点検及び部品交換を行うことができる一方、他方の仕切弁７ａで他方の第１吐出管７を閉塞状態にすると、一方の第１吐出管７に水を流すことで給水装置１を止めることなく他方の第１吐出管７周りの各機器の保守点検及び部品交換を行うことができる。このように、給水装置１を稼働させたままの状態で各第１吐出管７周りの保守点検及び部品交換を行うことができ、効率的である。
【００５９】
また、各第１吐出管７は、各ポンプ本体４ａにおけるキャビネット２の開口部２ａ側の領域から圧力タンク６の給排水部６ａにおけるキャビネット２の開口部２ａ側の領域に向かって直線状に延びているので、各第１吐出管７を流れる水の圧力損失が減り、各ポンプ本体４ａから流出する水を第２吐出管８までスムーズに流すことができる。
【００６０】
また、圧力タンク６は、キャビネット２の開口部２ａ側に配置されているので、収容空間Ｓ１において上記両ポンプ４が並ぶ直線上から上記圧力タンク６のずれた側における上記各ポンプ４に対応する領域が開口部２ａに面するようになり、各第１吐出管７が開口部２ａに接近した位置となる。したがって、キャビネット２の扉部２ｂを開けると、圧力タンク６及び各第１吐出管７周りの各機器の保守点検及び部品交換を容易に行うことができるようになる。
【００６１】
また、上記各第１吐出管７を流れる水は、図６の矢印Ｙ１，Ｙ２に示すように、それぞれ整流板１２によって案内されてその流れが同方向に向くようになった状態で合流するので、各第１吐出管７を流れる水が合流する地点において発生する圧力損失を低下させることができる。また、両ポンプ４のうちの一方のポンプ４だけを稼働させる場合において、一方の第１吐出管７を流れる水が他方の第１吐出管７の他端部分に接近すると、整流板１２に遮られて他方の第１吐出管７側に向かわなくなるので、一方の第１吐出管７を流れる水がスムーズに第２吐出管８に向かって流れるようになり、両第１吐出管７の互いに接続された他端部分において流れる水の圧力損失を低下させることができる。
【００６２】
また、収容空間Ｓ１において、図２に示すように、各駆動モータ４ｂの外扇ファンによって発生する下方に向かう空気流とインバータ１０ａを冷却する冷却ファン１１の上方に向かう空気流とによって収容空間Ｓ１を循環する２つの空気流れＸ１，Ｘ２が収容空間Ｓ１の中央部分を境に対称に発生するので、キャビネット２内部の温度が偏って上昇してしまうのを確実に防ぐことができる。
【００６３】
尚、本発明の実施形態では、第１吐出管７を直線状の形状にしているが、例えば、Ｌ字状をなす形状にしてもよい。
【００６４】
また、本発明の実施形態では、上記吸入管５の吸入口５ａ及び上記第２吐出管８の吐出口８ａがキャビネット２の底面から外側に臨むとともに下方に向かって開口しているが、キャビネット２の側面から外側に臨む構成であってもよい。
【００６５】
さらに、本発明の実施形態では、圧力タンク６は、両ポンプ４の間の両ポンプ４が並ぶ直線上から開口部２ａ側にずれた位置で、且つ、両ポンプ４の各々に接近するように配置されているが、両ポンプ４の間の両ポンプ４が並ぶ直線上から開口部２ａの反対側にずれた位置で、且つ、両ポンプ４の各々に接近する位置に配置されていてもよい。
【００６６】
それに加えて、本発明の実施形態では、冷却ファン１１が圧力タンク６の上方に位置しているが、冷却ファン１１が圧力タンク６の上方に位置することは必須ではない。
【００６７】
尚、本発明の実施形態に係る給水装置１は、水道水の水を加圧してマンション等の各フロアに供給する構成等にも適用できる。
【産業上の利用可能性】
【００６８】
本発明は、水道管や貯水槽の水を加圧して集合住宅やビル等に供給する給水装置に適している。
【符号の説明】
【００６９】
１        給水装置
２        キャビネット
４        ポンプ
４ａ        ポンプ本体
４ｂ        駆動モータ
５        吸入管
５ａ        吸入口
６        圧力タンク
７        第１吐出管
７ａ        仕切弁
８        第２吐出管
８ａ        吐出口
１０        制御ボックス
１０ａ        インバータ
１１        冷却ファン
Ｓ１        収容空間
【図１】
2018040141.tif 000003
【図２】
2018040141.tif 000004
【図３】
2018040141.tif 000005
【図４】
2018040141.tif 000006
【図５】
2018040141.tif 000007
【図６】
2018040141.tif 000008